(57)【要約】【課題】相手コネクタとの嵌合接続時に相手コネクタの雄型端子金具が誤挿入により変形するという問題を回避することができ、また、コネクタハウジングの成形金型の構造を単純化することもできるコネクタを提供すること。【解決手段】仮係止位置でアウターハウジング３３に係止されたインナーハウジング３７の端子収容部３５に雌型端子金具２３を挿入すると、端子収容部３５内の傾斜案内部５３による誘導で雌型端子金具２３の前端部が端子収容部３５の開口部５５から突出して、アウターハウジング３３の弾性押え片６１に当接し、弾性押え片６１による押し戻しにより、雌型端子金具２３が端子収容部３５内に固定装備されている抜け止め突起５１に係止される構成とする。【選択図】図１２
2011040215.tif 000002
【特許請求の範囲】
【請求項１】
アウターハウジングと、
雌型端子金具を収容する端子収容部を有して前記アウターハウジングに挿入装着されるインナーハウジングと、
前記インナーハウジングの前半部を前記アウターハウジングに挿入した仮係止位置と前記インナーハウジングの略全体を前記アウターハウジングに挿入した本係止位置との２つの位置で前記インナーハウジングと前記アウターハウジングとを結合可能なハウジング係止手段と、
を備えたコネクタであって、
前記端子収容部には、収容部下部壁の前半側に隆起形成されて前記雌型端子金具の抜け止め用の係止溝と係合することで前記雌型端子金具の挿抜方向の移動を規制する抜け止め突起と、前記雌型端子金具の前記端子収容部への挿入時に前記雌型端子金具の前端部が前記抜け止め突起に干渉しないように、前記雌型端子金具の側部に突設された摺動突起を案内することで前記雌型端子金具の前半部を前記収容部下部壁から浮き上がらせる傾斜案内部と、前記収容部下部壁に対向する収容部上部壁の前半部を切除した形態で設けられて前記傾斜案内部による誘導によって前記収容部下部壁から浮き上がった前記雌型端子金具の前半部が挿通可能な開口部と、が備えられ、
前記アウターハウジングには、前記仮係止位置の前記インナーハウジングの前記開口部と対向する位置に、前記インナーハウジングの挿入方向に沿って延出した弾性押え片が備えられ、
前記仮係止位置のインナーハウジングの端子収容部に挿入された雌型端子金具の前端部が前記傾斜案内部による誘導によって前記開口部から突出すると、前記弾性押え片が前記雌型端子金具の前端部を前記収容部下部壁側に押し戻して、前記雌型端子金具の前記係止溝が前記抜け止め突起により係止された状態にすることを特徴とするコネクタ。
【請求項２】
前記アウターハウジングには、前記インナーハウジングが本係止位置に移動したときに前記開口部を覆う端子押え壁が前記インナーハウジングの挿入方向に沿って固定装備され、
前記端子押え壁が、前記端子収容部に収容保持されている前記雌型端子金具の前記収容部下部壁からの浮き上がりを押さえて、前記雌型端子金具が前記抜け止め突起により係止されている状態を維持することを特徴とする請求項１に記載のコネクタ。
【請求項３】
前記端子収容部の収容部側部壁には、前記抜け止め突起と前記係合溝とが係合するときに、前記摺動突起と係合して前記雌型端子金具の抜け方向の移動を規制する端子係止溝が備えられたことを特徴とする請求項１又は２に記載のコネクタ。
【発明の詳細な説明】
【技術分野】
【０００１】
本発明は、コネクタに関するものである。
【背景技術】
【０００２】
図１５及び図１６は、コネクタの従来例を示したものである。
このコネクタ１は、下記特許文献１に開示されたもので、雌型端子金具３を収容する端子収容部５が設けられたコネクタハウジング７内に、雌型端子金具３を抜け止めするランス９が一体形成されている。
【０００３】
ランス９は、雌型端子金具３の挿入方向に沿って延設された弾性片９ａ上に、端子収容部５内に突出する係止突起９ｂを設けたもので、雌型端子金具３に設けられた係止溝に係止突起９ｂが係合することで、雌型端子金具３の抜けを防止する。
【０００４】
また、従来のコネクタ１は、コネクタハウジング７には、保護部材１１が装着されている。この保護部材１１は、コネクタハウジング７に仮係止された図１５の状態ではランス９の撓み変位を規制しないが、コネクタハウジング７に本係止された図１６の状態ではランス９の係合解除方向への撓み変位を拘束する二重係止手段として機能して、ランス９による雌型端子金具３の固定を確実にする。
【０００５】
以上のコネクタハウジング７は、樹脂の射出成形により一体形成される。
【先行技術文献】
【特許文献】
【０００６】
【特許文献１】特開２００６−１００２２７号公報
【発明の概要】
【発明が解決しようとする課題】
【０００７】
ところが、上記のコネクタハウジング７の場合、成形金型の型抜き構造等から、弾性変位するランス９の周囲には、比較的に大きな隙間Ｓ１を確保しなければならない。
【０００８】
また、ランス９により係止されている雌型端子金具３を抜き出す際には、ランス９を係合解除方向に撓ませる必要がある。また、ランス９の係合解除時にはランス９上の係止突起９ｂの突出量の分だけ、ランス９を大きく撓ませる必要がある。そのため、ランス９を係合解除方向に撓ませる端子抜き用治具を差し込む抜き治具用穴１３を、比較的に大きな口径で端子収容部５に隣接して設けなければならない。
【０００９】
そして、上記の隙間Ｓ１や抜き治具用穴１３が大きいために、コネクタ１を相手側コネクタに嵌合接続する際に、相手側コネクタの雄型端子金具の先端が上記隙間Ｓ１や抜き治具用穴１３に誤挿入されて、雄型端子金具の曲げ変形という不都合が発生するおそれがあった。
【００１０】
また、ランス９を一体形成するために、コネクタハウジング７の成形金型の構造が複雑化するという問題もあった。
【００１１】
そこで、本発明の目的は上記課題を解消することに係り、相手コネクタとの嵌合接続時に相手コネクタの雄型端子金具が誤挿入により変形するという問題が発生せず、確実に相手コネクタとの接続を完了させることができ、また、端子収容部を有するコネクタハウジングの成形金型の構造を単純化することもできるコネクタを提供することにある。
【課題を解決するための手段】
【００１２】
本発明の前述した目的は、下記の構成により達成される。
（１）アウターハウジングと、
雌型端子金具を収容する端子収容部を有して前記アウターハウジングに挿入装着されるインナーハウジングと、
前記インナーハウジングの前半部を前記アウターハウジングに挿入した仮係止位置と前記インナーハウジングの略全体を前記アウターハウジングに挿入した本係止位置との２つの位置で前記インナーハウジングと前記アウターハウジングとを結合可能なハウジング係止手段と、
を備えたコネクタであって、
前記端子収容部には、収容部下部壁の前半側に隆起形成されて前記雌型端子金具の抜け止め用の係止溝と係合することで前記雌型端子金具の挿抜方向の移動を規制する抜け止め突起と、前記雌型端子金具の前記端子収容部への挿入時に前記雌型端子金具の前端部が前記抜け止め突起に干渉しないように、前記雌型端子金具の側部に突設された摺動突起を案内することで前記雌型端子金具の前半部を前記収容部下部壁から浮き上がらせる傾斜案内部と、前記収容部下部壁に対向する収容部上部壁の前半部を切除した形態で設けられて前記傾斜案内部による誘導によって前記収容部下部壁から浮き上がった前記雌型端子金具の前半部が挿通可能な開口部と、が備えられ、
前記アウターハウジングには、前記仮係止位置の前記インナーハウジングの前記開口部と対向する位置に、前記インナーハウジングの挿入方向に沿って延出した弾性押え片が備えられ、
前記仮係止位置のインナーハウジングの端子収容部に挿入された雌型端子金具の前端部が前記傾斜案内部による誘導によって前記開口部から突出すると、前記弾性押え片が前記雌型端子金具の前端部を前記収容部下部壁側に押し戻して、前記雌型端子金具の前記係止溝が前記抜け止め突起により係止された状態にすることを特徴とするコネクタ。
【００１３】
（２）前記アウターハウジングには、前記インナーハウジングが本係止位置に移動したときに前記開口部を覆う端子押え壁が前記インナーハウジングの挿入方向に沿って固定装備され、
前記端子押え壁が、前記端子収容部に収容保持されている前記雌型端子金具の前記収容部下部壁からの浮き上がりを押さえて、前記雌型端子金具が前記抜け止め突起により係止されている状態を維持することを特徴とする上記（１）に記載のコネクタ。
【００１４】
（３）前記端子収容部の収容部側部壁には、前記抜け止め突起と前記係合溝とが係合するときに、前記摺動突起と係合して前記雌型端子金具の抜け方向の移動を規制する端子係止溝が備えられたことを特徴とする上記（１）又は（２）に記載のコネクタ。
【００１５】
上記（１）の構成によれば、インナーハウジングがハウジング係止手段により仮係止位置に係止されている状態で、インナーハウジングの端子収容部に雌型端子金具が挿入される。雌型端子金具の挿入途中で雌型端子金具が傾斜案内部に乗り上げると、この傾斜案内部による誘導によって、雌型端子金具の前半部は収容部下部壁から浮き上がり、雌型端子金具の前端部の上部が開口部から上方に突出し、アウターハウジングの弾性押え片に当接する。
【００１６】
更に、雌型端子金具の挿入を行うと、雌型端子金具の前端部が弾性押え片により雌型端子金具の前半部が収容部下部壁側に押し戻されて、雌型端子金具の係止溝が抜け止め突起により係止された状態になる。
【００１７】
そして、上記（１）の構成によれば、雌型端子金具を抜け止めするインナーハウジングの抜け止め突起は、雌型端子金具の挿入方向及びその直交方向に対して弾性変位しない剛体構造の隔壁である収容部下部壁に設けているため、雌型端子金具の挿入方向に直交する方向に弾性変位するランスによって雌型端子金具を抜け止めしていた従来のコネクタハウジングと比較すると、成形金型の型抜き構造等のための隙間を大きく設ける必要がない。
【００１８】
また、雌型端子金具の端子収容部への装着は、仮係止位置のインナーハウジングに対して行う構成で、インナーハウジングをアウターハウジングから引き抜くと、傾斜案内部から雌型端子金具に作用する付勢力で、抜け止め突起と雌型端子金具との係合が簡単に解除可能になるため、端子抜き用治具を差し込む抜き治具用穴を比較的に大きな口径で端子収容部に隣接して設ける必要も無くなる。
【００１９】
従って、端子収容部の周囲等に形成される隙間や治具用穴の縮小を図ることができ、相手コネクタとの嵌合接続時に相手コネクタの雄型端子金具が端子収容部の周囲の隙間や治具用穴への誤挿入により変形するという問題を回避して、確実に相手コネクタとの接続を完了させることができる。
【００２０】
そして、インナーハウジングには雌型端子金具の挿入方向に直交する方向に弾性変位するランスが不要になること、更に、雌型端子金具を抜け止め突起に係合させるためにアウターハウジングに装備した弾性押え片も前記インナーハウジングの挿入方向に沿って延出した単純な板状構造で良いことから、これらのインナーハウジングやアウターハウジングでは、成形金型の型抜きが困難になることがない。従って、ランスによって雌型端子金具を抜け止めしていた従来のコネクタハウジングと比較すると、各ハウジングの成形金型の型抜きが容易になり、コネクタハウジングの成形金型の構造を単純化することもできる。
【００２１】
なお、アウターハウジングに仮係止位置で結合されているインナーハウジングの端子収容部に雌型端子金具の挿入作業を行った場合に、雌型端子金具が正常に端子収容部内の抜け止め突起に係止される前に、雌型端子金具の挿入操作を終えると、雌型端子金具は前半部の上端が開口部に突出した不完全挿入状態で残留する。その状態のままインナーハウジングをアウターハウジング内に押し込むと、不完全挿入状態の雌型端子金具が弾性押え片との干渉によりインナーハウジングの後方に押し出されるため、視認により、不完全挿入状態の発生を容易に検知することができ、雌型端子金具の不完全挿入の防止に有効である。
【００２２】
また、上記（２）の構成によれば、雌型端子金具が端子収容部の抜け止め突起により係止された正常嵌合状態で、インナーハウジングをアウターハウジング内に更に挿入して、インナーハウジングの略全体を前記アウターハウジングに挿入した状態にすると、インナーハウジングが本係止位置でアウターハウジングに結合された本係止状態になる。
【００２３】
この本係止状態では、アウターハウジングに装備された端子押え壁が、インナーハウジングの端子収容部の開口部を覆って、端子収容部に収容保持されている雌型端子金具の収容部下部壁からの浮き上がりを規制し、雌型端子金具が抜け止め突起により係止されている状態を維持する。
【００２４】
即ち、アウターハウジングの端子押え壁は、端子収容部の抜け止め突起が雌型端子金具に係合した状態を維持する二重係止手段として機能し、雌型端子金具に対する抜け止め性能を確実なものにする。
【００２５】
そして、二重係止手段として機能するアウターハウジングの端子押え壁は、インナーハウジングの挿入方向に沿って固定装備された剛体構造の隔壁でよいため、当該アウターハウジングの成形金型の型抜きを困難にすることもなく、アウターハウジングの成形金型の構造の単純化に適している。
【００２６】
そして、上記(３)の構成によれば、端子収容部の底部の抜け止め突起だけでなく、収容部側部壁の端子係止溝も、雌型端子金具の抜け方向の移動を規制する手段として機能するため、雌型端子金具の抜け止めをより強固にすることができる。
【００２７】
また、インナーハウジング側の端子係止溝は、例えば、端子収容部の収容部側部壁の端部に切欠溝として形成することで、成形金型の型抜き性を低下させることもない。
【発明の効果】
【００２８】
本発明によるコネクタによれば、端子収容部の周囲等に形成される隙間や治具用穴の縮小を図ることができ、相手コネクタとの嵌合接続時に相手コネクタの雄型端子金具が端子収容部の周囲の隙間や治具用穴への誤挿入により変形するという問題を回避して、確実に相手コネクタとの接続を完了させることができる。
【００２９】
また、ランスによって雌型端子金具を抜け止めしていた従来のコネクタハウジングと比較すると、アウターハウジング及びインナーハウジングのいずれの場合も、成形金型の型抜きが容易になるため、コネクタハウジングの成形金型の構造を単純化することもできる。
【図面の簡単な説明】
【００３０】
【図１】本発明に係るコネクタの一実施形態の斜視図である。
【図２】図１に示したコネクタの正面図である。
【図３】図１に示したコネクタの背面図である。
【図４】図１に示したコネクタの側面図である。
【図５】図１に示したコネクタに収容される雌型端子金具の下面側からの斜視図である。
【図６】図１に示したコネクタを構成するアウターハウジングとインナーハウジングの分解斜視図である。
【図７】図６に示したアウターハウジングの側面図である。
【図８】図６に示したインナーハウジングの側面図である。
【図９】図６に示したアウターハウジングの縦断面図である。
【図１０】図６に示したインナーハウジングの縦断面図である。
【図１１】図６に示したインナーハウジングが仮係止状態にあって、下段の端子収容部に挿入された雌型端子金具の摺動突起が端子収容部内の傾斜案内部に接触開始した状態の説明図である。
【図１２】図６に示したインナーハウジングが仮係止状態にあって、下段の端子収容部に挿入された雌型端子金具の摺動突起が端子収容部内の傾斜案内部を登りきって、雌型端子金具の先端が弾性押え片に当接した状態の説明図である。
【図１３】図６に示したインナーハウジングが仮係止状態にあって、下段の端子収容部に挿入された雌型端子金具が正常に端子収容部内の抜け止め突起に係止された状態の説明図である。
【図１４】図１３に示した仮係止状態のインナーハウジングが更にアウターハウジングに押し込まれて、本係止状態になったときの説明図である。
【図１５】従来のコネクタの端子収容部に対して雌型端子金具が挿入途中の状態の縦断面図である。
【図１６】図１５に示したコネクタの端子収容部に挿入された雌型端子金具がランスと保護部材により抜け止めされている状態の縦断面図である。
【発明を実施するための形態】
【００３１】
以下、本発明に係るコネクタの好適な実施形態について、図面を参照して詳細に説明する。
【００３２】
図１〜図４は本発明に係るコネクタの一実施形態の外観を示したもので、図５は一実施形態のコネクタ２１が収容する雌型端子金具２３を示している。
【００３３】
雌型端子金具２３は、金属板のプレス成形品で、相手コネクタに収容されている雄型端子金具が嵌合接続される角筒状の端子嵌合部２５と、電線の芯線を圧着する芯線加締め片２６と、電線の被覆部を把持固定する被覆加締め部２７とを備えている。
【００３４】
端子嵌合部２５は端子金具の前半部に位置しており、芯線加締め片２６及び被覆加締め部２７は端子金具の後半部に位置している。
【００３５】
図５において上方に向いた端子嵌合部２５の上部壁２５ａには、前端寄りの位置に抜け止め用の係止溝２８が形成されている。本実施形態の場合、係止溝２８は角穴状である。
【００３６】
また、図５において、端子嵌合部２５の下部壁２５ａに隣接する側部２５ｂの前端寄り位置には、側方に突出して、摺動突起３１が設けられている。
【００３７】
この一実施形態のコネクタ２１は、図６に示すように、アウターハウジング３３と、雌型端子金具２３を収容する端子収容部３５を有してアウターハウジング３３に挿入装着されるインナーハウジング３７とから構成されている。
【００３８】
アウターハウジング３３は、雌型端子金具２３に嵌合接続する雄型端子金具を収容した相手コネクタとの嵌合をロックするためのコネクタロック部４１を上面に備えている。また、アウターハウジング３３の両側壁３３ａ，３３ａの内面には、インナーハウジング３７を仮係止位置及び本係止位置に係止するハウジング係止手段として、ガイド溝４３と、係止凹部４５とを備えている。
【００３９】
ガイド溝４３は、インナーハウジング３７の両側面３７ａ，３７ａに挿入方向に位置をずらして突設された第１係止突起４７や第２係止突起４９が係合する切り欠き溝で、両側面３７ａ，３７ａの内面に、アウターハウジング３３の後端からインナーハウジング３７の挿入方向に沿ってハウジング中央まで形成されている。
【００４０】
第１係止突起４７と第２係止突起４９とは、ガイド溝４３に嵌合するように、インナーハウジング３７の側面３７ａに同じ高さに設けられている。第１係止突起４７はインナーハウジング３７の先端付近に突設されていて、第２係止突起４９はハウジングの略中央に突設されている。
【００４１】
図１１に示すように、インナーハウジング３７を、その前半部をアウターハウジング３３に挿入した仮係止位置に位置させると、第１係止突起４７がガイド溝４３の終端に係合することで、インナーハウジング３７とアウターハウジング３３とが仮の結合状態である仮係止状態となる。
【００４２】
仮係止状態から、更にインナーハウジング３７をアウターハウジング３３内に押し込むと、図１４に示すようにインナーハウジング３７の略全体をアウターハウジング３３に挿入した全挿入状態となる。このときのインナーハウジング３７の位置が本係止位置である。このときは、インナーハウジング３７上の第１係止突起４７がアウターハウジング３３の係止凹部４５に係合し、第２係止突起４９がガイド溝４３の終端に係合して、インナーハウジング３７が完全にアウターハウジング３３に装着された状態でアウターハウジング３３に結合された本係止状態となる。
【００４３】
本実施形態の場合、インナーハウジング３７には、図１０に示すように、上下２段に、端子収容部３５が装備されている。そして、各端子収容部３５には、抜け止め突起５１と、傾斜案内部５３と、開口部５５と、端子係止溝５７とが設けられている。
【００４４】
抜け止め突起５１は、端子収容部３５内に突出するように、収容部下部壁３５ａの前半側に隆起形成された突起で、図５に示した雌型端子金具２３の抜け止め用の係止溝２８と係合することで雌型端子金具２３の挿抜方向の移動を規制する。
【００４５】
傾斜案内部５３は、雌型端子金具２３の端子収容部３５への挿入時に、雌型端子金具２３の前端部が抜け止め突起５１に干渉しないように、雌型端子金具２３の前半部を収容部下部壁３５ａから浮き上がらせる傾斜面（スロープ）である。この傾斜案内部５３は、図５に示した雌型端子金具２３の摺動突起３１が乗り上げるように、収容部側部壁３５ｂに設けられている。
【００４６】
開口部５５は、収容部下部壁３５ａに対向する収容部上部壁３５ｃの前半部を切除した形態で設けられて、端子収容部３５を上方に開放している。この開口部５５は、傾斜案内部５３による誘導によって収容部下部壁３５ａから浮き上がった雌型端子金具２３の前半部を上方に挿通可能にしている。
【００４７】
端子係止溝５７は、図６及び図１０に示すように、端子収容部３５の収容部側部壁３５ｂの前端部に、切欠溝として形成されている。この端子係止溝５７は、仮係止状態のインナーハウジング３７の端子収容部３５に雌型端子金具２３が挿入されて、雌型端子金具２３の係止溝２８と端子収容部３５内の抜け止め突起５１とが係合するときに、雌型端子金具２３の側部に突設された摺動突起３１と係合して、雌型端子金具２３の抜け方向の移動を規制する。
【００４８】
一方、アウターハウジング３３には、図９及び図１１に示すように、仮係止位置のインナーハウジング３７の開口部５５と対向する位置に、インナーハウジング３７の挿入方向（図９の矢印Ａ方向）に沿って延出した弾性押え片６１が備えられている。
【００４９】
弾性押え片６１は、インナーハウジング３７の挿入方向と直交する方向に撓み変形する板ばね状になっている。
【００５０】
アウターハウジング３３に仮係止状態のインナーハウジング３７の端子収容部３５に雌型端子金具２３を挿入して行くと、図１１に示すように、雌型端子金具２３の摺動突起３１が傾斜案内部５３の始端に乗り上げる。そして、更に雌型端子金具２３を挿入すると、図１２に示すように、摺動突起３１が傾斜案内部５３を上るに従って、雌型端子金具２３の前半部が収容部下部壁３５ａから浮き上がり、雌型端子金具２３の前端が開口部５５から突出して、弾性押え片６１に当接する。
【００５１】
その状態で、雌型端子金具２３を更に挿入すると、弾性押え片６１は、当接した雌型端子金具２３の前端部を収容部下部壁３５ａ側に押し戻して、図１３に示すように、雌型端子金具２３の係止溝２８が抜け止め突起５１により係止された状態にする。
【００５２】
また、本実施形態の場合、アウターハウジング３３には、図９に示すように、弾性押え片６１の基端側から、インナーハウジング３７の挿入方向に沿ってアウターハウジング３３の先端側に延びる端子押え壁６３が固定装備されている。
【００５３】
この端子押え壁６３は、図１４に示したように、インナーハウジング３７が本係止状態となる本係止位置に移動したときに開口部５５を覆って、端子収容部３５に収容保持されている雌型端子金具２３の収容部下部壁３５ａからの浮き上がりを押さえる。これにより、端子押え壁６３は、雌型端子金具２３が抜け止め突起５１により係止されている状態を維持する二重係止手段として機能する。
【００５４】
以上に説明した一実施形態のコネクタ２１では、インナーハウジング３７がハウジング係止手段により仮係止位置に係止されている状態（仮係止状態）で、インナーハウジング３７の端子収容部３５に雌型端子金具２３が挿入される。雌型端子金具２３の挿入途中で雌型端子金具２３の摺動突起３１が傾斜案内部５３に乗り上げると、この傾斜案内部５３による誘導によって、雌型端子金具２３の前半部は収容部下部壁３５ａから浮き上がり、雌型端子金具２３の前端部の上部が開口部５５から上方に突出し、アウターハウジング３３の弾性押え片６１に当接する。
【００５５】
更に、雌型端子金具２３の挿入を行うと、雌型端子金具２３の前端部が弾性押え片６１により雌型端子金具２３の前半部が収容部下部壁３５ａ側に押し戻されて、雌型端子金具２３の係止溝２８が抜け止め突起５１により係止された状態になる。
【００５６】
そして、上記一実施形態のコネクタ２１の構成によれば、雌型端子金具２３を抜け止めするインナーハウジング３７の抜け止め突起５１は、雌型端子金具２３の挿入方向及びその直交方向に対して弾性変位しない剛体構造の隔壁である収容部下部壁３５ａに設けられているため、雌型端子金具の挿入方向に直交する方向に弾性変位するランスによって雌型端子金具を抜け止めしていた従来のコネクタハウジングと比較すると、成形金型の型抜き構造等のための隙間を大きく設ける必要がない。
【００５７】
また、雌型端子金具２３の端子収容部３５への装着は、仮係止状態のインナーハウジング３７に対して行う構成であり、インナーハウジング３７をアウターハウジング３３から引き抜くと、傾斜案内部５３から雌型端子金具２３に作用する付勢力で、抜け止め突起５１と雌型端子金具２３との係合が簡単に解除可能になるため、端子抜き用治具を差し込む抜き治具用穴を比較的に大きな口径で端子収容部３５に隣接して設ける必要も無くなる。
【００５８】
従って、端子収容部３５の周囲等に形成される隙間や治具用穴の縮小を図ることができ、相手コネクタとの嵌合接続時に相手コネクタの雄型端子金具が端子収容部３５の周囲の隙間や治具用穴への誤挿入により変形するという問題を回避して、確実に相手コネクタとの接続を完了させることができる。
【００５９】
そして、インナーハウジング３７には雌型端子金具２３の挿入方向に直交する方向に弾性変位するランスが不要になること、更に、雌型端子金具２３を抜け止め突起５１に係合させるためにアウターハウジング３３に装備した弾性押え片６１も前記インナーハウジング３７の挿入方向に沿って延出した単純な板状構造で良いことから、これらのインナーハウジング３７やアウターハウジング３３では、成形金型の型抜きが困難になることがない。従って、ランスによって雌型端子金具を抜け止めしていた従来のコネクタハウジングと比較すると、各ハウジングの成形金型の型抜きが容易になり、コネクタハウジングの成形金型の構造を単純化することもできる。
【００６０】
なお、アウターハウジング３３に仮係止状態にあるインナーハウジング３７の端子収容部３５に雌型端子金具２３の挿入作業を行った場合に、雌型端子金具２３が正常に端子収容部３５内の抜け止め突起５１に係止される前に、雌型端子金具２３の挿入操作を終えると、雌型端子金具２３は前半部の上端が開口部５５に突出した不完全挿入状態で残留する。その状態のままインナーハウジング３７をアウターハウジング３３内に押し込むと、不完全挿入状態の雌型端子金具２３が弾性押え片６１との干渉によりインナーハウジング３７の後方に押し出されるため、視認により、不完全挿入状態の発生を容易に検知することができ、雌型端子金具２３の不完全挿入の防止に有効である。
【００６１】
また、上記一実施形態のコネクタ２１によれば、雌型端子金具２３が端子収容部３５の抜け止め突起５１により係止された正常嵌合状態で、インナーハウジング３７をアウターハウジング３３内に更に挿入して、インナーハウジング３７の略全体を前記アウターハウジング３３に挿入した状態にすると、インナーハウジング３７が本係止位置でアウターハウジング３３に結合された本係止状態になる。
【００６２】
この本係止状態では、アウターハウジング３３に装備された端子押え壁６３が、インナーハウジング３７の端子収容部３５の開口部５５を覆って、端子収容部３５に収容保持されている雌型端子金具２３の収容部下部壁３５ａからの浮き上がりを規制し、雌型端子金具２３が抜け止め突起５１により係止されている状態を維持する。
【００６３】
即ち、アウターハウジング３３の端子押え壁６３は、端子収容部３５の抜け止め突起５１が雌型端子金具２３に係合した状態を維持する二重係止手段として機能し、雌型端子金具２３に対する抜け止め性能を確実なものにする。
【００６４】
そして、二重係止手段として機能するアウターハウジング３３の端子押え壁６３は、インナーハウジング３７の挿入方向に沿って固定装備された剛体構造の隔壁でよいため、当該アウターハウジング３３の成形金型の型抜きを困難にすることもなく、アウターハウジング３３の成形金型の構造の単純化に適している。
【００６５】
また、上記一実施形態のコネクタ２１では、端子収容部３５の底部の抜け止め突起５１だけでなく、収容部側部壁３５ｂの端子係止溝５７も、雌型端子金具２３の抜け方向の移動を規制する手段として機能するため、雌型端子金具２３の抜け止めをより強固にすることができる。
【００６６】
また、インナーハウジング３７側の端子係止溝５７は、上記実施形態に示したように端子収容部３５の収容部側部壁３５ｂの端部に切欠溝として形成することで、成形金型の型抜き性を低下させることもない。
【００６７】
また、上記一実施形態のコネクタ２１では、傾斜案内部５３上を摺動する摺動突起２９の弾性力を適度な強さに設定しておくことで、弾性押え片６１が雌型端子金具２３の前半部を収容部下部壁３５ａ側に押し戻す際の抵抗力を加減することができ、雌型端子金具２３の装着時の操作性を向上させることができる。
【００６８】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００６９】
２１  コネクタ
２３  雌型端子金具
２５  端子嵌合部
２５ａ  上部壁
２６  芯線加締め片
２７  被覆加締め部
２８  係止溝
３１  摺動突起
３３  アウターハウジング
３５  端子収容部
３５ａ  収容部下部壁
３５ｂ  収容部側部壁
３５ｃ  収容部上部壁
３７  インナーハウジング
４１  コネクタロック部
４３  ガイド溝（ハウジング係止手段）
４５  係止凹部（ハウジング係止手段）
４７  第１係止突起（ハウジング係止手段）
４９  第２係止突起（ハウジング係止手段）
５１  抜け止め突起
５３  傾斜案内部（スロープ）
５５  開口部
５７  端子係止溝
６１  弾性押え片
６３  端子押え壁
【図１】
2011040215.tif 000003
【図２】
2011040215.tif 000004
【図３】
2011040215.tif 000005
【図４】
2011040215.tif 000006
【図５】
2011040215.tif 000007
【図６】
2011040215.tif 000008
【図７】
2011040215.tif 000009
【図８】
2011040215.tif 000010
【図９】
2011040215.tif 000011
【図１０】
2011040215.tif 000012
【図１１】
2011040215.tif 000013
【図１２】
2011040215.tif 000014
【図１３】
2011040215.tif 000015
【図１４】
2011040215.tif 000016
【図１５】
2011040215.tif 000017
【図１６】
2011040215.tif 000018